【手続補正書】
【提出日】平成19年11月13日(2007.11.13)
【手続補正１】
【補正対象書類名】明細書
【補正対象項目名】特許請求の範囲
【補正方法】変更
【補正の内容】
【特許請求の範囲】
【請求項１】  基地局（ＢＳ）と通信する送信器（２６）と受信器（２５）とを有する移動体無線局（１４）であって、
前記送信器は、最低送信電力レベルおよび最大送信電力レベルによって定義されたダイナミック・レンジ内で調節可能な電力レベルで動作し、前記送信器は、通信を前記基地局へ第１の周波数帯域にわたって前記ダイナミック・レンジ内の送信電力レベルで送信し、前記基地局（ＢＳ）は、前記通信を瞬間受信信号レベルで受信し、
前記移動体無線局は送信電力コントローラ（２８）を有し、前記送信電力コントローラは、
前記受信信号レベルの評価が、前記瞬間受信信号レベルが許容できないほど低いと指示した場合、前記送信器に前記送信電力レベルを上方に調整するように命令し、
前記受信信号レベルの評価が、前記受信信号レベルが許容できない干渉を隣接する移動体無線局に引き起こすと指示した場合、前記送信器に前記送信電力レベルを下方に調整するように命令するが、
前記評価が、前記送信器電力レベルを前記最低送信電力レベルの下に調整することなくしては前記受信信号を最大許容レベルより下げることができないと指示した場合、前記送信器に、送信器電力レベルを下方に調整するのではなく第１の周波数帯域にわたって送信を停止するように命令することを特徴とする移動体無線局。
【請求項２】  前記瞬間受信信号レベルの前記評価が、前記移動体無線局の受信器による前記基地局からの、前記受信信号の最大許容レベルを特定通信の受信を含むことを特徴とする請求項１に記載の移動体無線局。
【請求項３】  前記送信電力コントローラが所定の信号対干渉比（ＳＩＲ）の目標を更に含み、前記瞬間受信信号レベルの前記評価が、前記瞬間送信電力レベル、前記信号対干渉比の目標、および前記受信信号の最大許容レベルの解析を含むことを特徴とする請求項２に記載の移動体無線局。
【請求項４】  前記瞬間受信信号レベルの前記評価が、前記移動体無線局の受信器による前記基地局からの、前記受信信号の最大許容レベルの上の瞬間受信信号レベルを特定する通信の受信を含むことを特徴とする請求項１に記載の移動体無線局。
【請求項５】  前記送信電力コントローラが前記送信器に前記第１の周波数帯域を介した送信を停止するように命令した場合、前記送信電力コントローラが、前記送信器に、所定の期間の後に前記第１の周波数帯域を介した送信を再開するように命令するように構成されることを特徴とする請求項１に記載の移動体無線局。
【請求項６】  前記送信電力コントローラが前記送信器に前記第１の周波数帯域を介した送信を停止するように命令した場合、前記移動体無線局が、周波数間ハンドオーバを実行するように構成され、前記送信電力コントローラが、前記送信器に第２の周波数帯域を介した送信を再開するように命令するように構成されることを特徴とする請求項１に記載の移動体無線局。
【請求項７】  前記送信器が、通信を専用無線チャネルを介して送信し、前記送信電力コントローラが前記送信器に前記専用無線チャネルを介した送信を停止するように命令した場合、前記送信電力コントローラが、前記送信器に、共通無線チャネルを介した送信を再開するように命令するように構成されることを特徴とする請求項１に記載の移動体無線局。
【請求項８】  前記送信電力コントローラが前記送信器に前記第１の周波数帯域を介した送信を停止するように命令した場合、前記移動体無線局によって使用されている１つまたは複数の無線サービスが解放され、前記送信電力コントローラが、前記第１の周波数帯域を介した送信を再開するように構成されることを特徴とする請求項１に記載の移動体無線局。
【請求項９】  直接にあるいは間接に複数の移動体無線局と通信するための通信回路と、
前記移動体無線局のうち１つを、第１の周波数帯域を介して最低電力レベルまたはその近くで送信する支配的な移動体無線局として識別し、他の移動体無線局のいずれかが許容できないほど前記支配的な移動体無線局によって干渉されるか否かを決定し、そうであった場合に、前記支配的な移動体無線局に、前記第１の周波数帯域における送信を停止するように命令するコントローラとを有することを特徴とする無線ネットワーク・ノード。
【請求項１０】  前記支配的な移動体無線局が最低電力レベルまたはその近くで送信中でない場合で、前記他の移動体無線局のいずれかが許容できないほど前記支配的な移動体無線局によって干渉されている場合、前記コントローラが、前記支配的な移動体無線局が送信中である前記電力レベルを低減するように前記移動体無線局に命令するように構成されることを特徴とする請求項９に記載の無線ネットワーク・ノード。
【請求項１１】  前記他の移動体無線局のいずれかが許容できないほど前記支配的な移動体無線局によって干渉されている場合に、前記コントローラが、前記他の移動体無線局のうち１つまたは複数が最大電力レベルまたはその近くで送信中であるか否かを決定し、そうでなかった場合、前記１つまたは複数の他の移動体無線局に送信電力を増大するように命令するように構成されることを特徴とする請求項１０に記載の無線ネットワーク・ノード。
【請求項１２】  前記支配的な移動体無線局が許容できないほど前記他の移動体無線局のいずれかを干渉している場合に、前記コントローラが、前記支配的な移動体無線局に、前記第１の周波数帯域を介した送信を所定の期間に渡って停止し、次いで送信を再開するように命令するように構成されることを特徴とする請求項９に記載の無線ネットワーク・ノード。
【請求項１３】  前記支配的な移動体無線局が許容できないほど前記他の移動体無線局のいずれかを干渉している場合に、前記コントローラが、前記支配的な移動体無線局と共に周波数間ハンドオーバを開始し、前記支配的な移動体無線局が第２の周波数帯域を介した送信を再開するように構成されることを特徴とする請求項９に記載の無線ネットワーク・ノード。
【請求項１４】  前記支配的な移動体無線局が許容できないほど前記他の移動体無線局のいずれかを干渉している場合に、前記コントローラが、前記支配的な移動体無線局に、共通無線チャネルを介した送信を再開するように命令するように構成されることを特徴とする請求項９に記載の無線ネットワーク・ノード。
【請求項１５】  前記支配的な移動体無線局が許容できないほど前記他の移動体無線局のいずれかを干渉している場合に、前記コントローラが、前記支配的な移動体無線局に、前記移動体無線局によって使用されている１つまたは複数の無線サービスを解放し、送信を再開するように命令するように構成されることを特徴とする請求項９に記載の無線ネットワーク・ノード。
【請求項１６】  前記無線ネットワーク・ノードが無線基地局であることを特徴とする請求項９に記載の無線ネットワーク・ノード。
【請求項１７】  前記無線ネットワーク・ノードが無線ネットワーク・コントローラであることを特徴とする請求項９に記載の無線ネットワーク・ノード。
【請求項１８】  定義された最低のアップリンク電力送信レベルを有する移動体無線局（１４）のアップリンク電力レベルを制御する方法であって、
基地局（ＢＳ）から前記基地局での受信の最大許容レベルの標識を受信するステップと、
前記移動体無線局から基地局への通信を準備するステップと、
前記移動体無線局が前記準備された通信を送信する前記基地局での受信のレベルを推定するステップと、
前記移動体無線局が、前記準備された通信を、前記最低のアップリンク電力送信レベルを超えるアップリンク電力送信レベルであって、前記基地局で前記受信の最大許容レベルの下の受信のレベルを生じるように、送信することができるか否かを評価するステップとを有することを特徴とする方法。
【請求項１９】  前記移動体無線局が、前記準備された通信を、前記最低のアップリンク電力送信レベルを超えるアップリンク電力送信レベルであって、前記基地局で前記受信の最大許容レベルの下の受信のレベルを生じるように、送信することができると決定した場合、前記準備された通信を送信するステップを更に含むことを特徴とする請求項１８に記載の方法。
【請求項２０】  前記移動体無線局が、前記準備された通信を、前記最低アップリンク電力送信レベルを超えるアップリンク電力送信レベルであって、前記基地局で前記受信の最大許容レベルの下の低い受信のレベルを生じるように、送信することができない場合、一定の時間待機して、前記推定するステップおよび前記評価するステップを繰り返すステップを更に含むことを特徴とする請求項１８に記載の方法。
【請求項２１】  前記移動体無線局が、前記準備された通信を、前記最低アップリンク電力送信レベルを超えるアップリンク電力送信レベルであって、前記基地局で前記受信の最大許容レベルの下の低い受信のレベルを生じるように、送信することができない場合、前記移動体無線局と前記基地局の間の呼び出しを解放するステップを更に含むことを特徴とする請求項１８に記載の方法。
【請求項２２】  多数の移動体無線局（Ｍ１／Ｍ２／Ｍｎ）のアップリンク電力レベルを、前記基地局（ＢＳ）に関連付けられたセル（１３）内で制御するための方法であって、
前記セル内の前記移動体無線局から前記基地局への伝送を送受信するステップと、
前記基地局に、支配的な移動体無線局の通信を前記移動体無線局の他のものと比較して相対的に高い受信信号レベルで受信させる送信電力で送信することによって、前記支配的な移動体無線局が許容できない干渉を前記移動体無線局の他のものに引き起こしているか否かを決定するためにテストするステップと、
前記支配的な移動体無線局が前記移動体無線局の最低送信電力レベルあるいはその近くで送信中であるか否かを決定するステップとを更に含むことを特徴とする請求項１８に記載の方法。
【請求項２３】  前記支配的な移動体無線局がその最低送信電力レベルで送信中でない場合に、前記支配的な移動体無線局の送信電力レベルを低減し、前記支配的な移動体無線局が前記低減された送信電力レベルで送信することによって、なお許容できない干渉を前記移動体無線局の前記他のものに引き起こしているか否かを決定するために再度テストするステップと、
前記支配的な移動体無線局がその最低送信電力レベルで送信中である場合に、前記支配的な移動体無線局の前記送信器をオフにするステップとを更に含むことを特徴とする請求項２２に記載の方法。
【請求項２４】  前記テストするステップが、
前記基地局からの受信の最大許容レベルを受信するステップと、
信号対干渉の目標値を読み取るステップと、
前記基地局での受信電力レベルを前記信号対干渉の目標値に基づいて推定するステップと、
前記受信の最大許容レベルを前記推定された受信電力レベルと比較するステップとを含むことを特徴とする請求項２３に記載の方法。
【請求項２５】  前記支配的な移動体無線局の前記送信器をオフにする前記ステップの前に、
前記支配的な移動体無線局がその最低送信電力レベルで送信中である場合、前記支配的移動体無線局により干渉されている前記移動体無線局の前記他のもののいずれかが、各最大送信電力レベルで送信中であるか否かを決定するためにテストするステップと、
前記支配的な移動体無線局により干渉されている前記移動体無線局の前記他のもののすべてが、それらの各最大送信電力レベルの下で送信中である場合、前記移動体無線局の前記他のもののすべての前記送信電力レベルを増大するステップと、
前記支配的な移動体無線局により干渉されている前記移動体無線局の前記他のもののいずれかが、それらの各最大送信電力レベルで送信中である場合、前記支配的な移動体無線局をオフにするステップとを更に含むことを特徴とする請求項２３に記載の方法。
【請求項２６】  前記テストするステップが、
前記基地局からの受信の最大許容レベルを受信するステップと、
信号対干渉の目標値を読み取るステップと、
前記基地局での受信電力レベルを前記信号対干渉の目標値に基づいて推定するステップと、
前記受信の最大許容レベルを前記推定された受信電力レベルと比較するステップとを含むことを特徴とする請求項２５に記載の方法。